(57)【要約】  約０．６３と約２の間の摩擦係数を有する少なくとも１つの高摩擦表面領域を含む表面を有する容器。少なくとも１つの高摩擦表面領域は、繊維を含むコーティング層を含む。容器の表面は、摩擦家数が０．５よりも小さく、又は好ましくは０．３よりも小さい少なくとも１つの低摩擦表面領域を更に含むことができる。【選択図】図１
2011530459.tif 000002
【特許請求の範囲】
【請求項１】
容器であって、
容器の表面が、約０．６３の間の摩擦係数を有する少なくとも１つの高摩擦表面領域を含み、
前記少なくとも１つの摩擦表面領域は、繊維を含むコーティング層を含む、
ことを特徴とする容器。
【請求項２】
前記少なくとも１つの高摩擦表面領域は、約１と約２の間の摩擦係数を有することを特徴とする請求項１に記載の容器。
【請求項３】
容器の前記表面は、０．５よりも小さい、好ましくは、０．３よりも小さい摩擦係数を有する少なくとも１つの低摩擦表面領域を更に含むことを特徴とする請求項１又は請求項２に記載の容器。
【請求項４】
０．６３よりも大きい摩擦係数を有する高摩擦表面領域の反復性又は非反復性パターンを含むことを特徴とする請求項１から請求項３のいずれか１項に記載の容器。
【請求項５】
前記コーティング層における前記繊維は、前記高摩擦表面領域におけるシート材料の全重量の約１０パーセントと約３０パーセントの間を説明することを特徴とする請求項１から請求項４のいずれか１項に記載の容器。
【請求項６】
前記少なくとも１つの高摩擦表面領域の前記コーティング層は、容器の前記表面上に印刷されることを特徴とする請求項１から請求項５のいずれか１項に記載の容器。
【請求項７】
容器の前記表面は、ゴム引き材料で形成されたコーティング層を含む１つ又はそれよりも多くの付加的な高摩擦表面領域を含むことを特徴とする請求項１から請求項６のいずれか１項に記載の容器。
【請求項８】
前記コーティング層は、更に別のコーティングによって少なくとも部分的に覆われ、
前記更に別のコーティングは、０．３よりも小さい、好ましくは、０．１５よりも小さい摩擦係数を有する、
ことを特徴とする請求項１から請求項７のいずれか１項に記載の容器。
【請求項９】
喫煙物品のためのものであることを特徴とする請求項１から請求項８のいずれか１項に記載の容器。
【請求項１０】
請求項１から請求項９のいずれか１項に記載の容器を形成するための積層ブランクであって、
表面上に約０．６３と約２の間の摩擦係数を有する少なくとも１つの高摩擦表面領域を含み、
前記高摩擦表面領域は、繊維を含むコーティング層を含む、
ことを特徴とする積層ブランク。
【発明の詳細な説明】
【技術分野】
【０００１】
本発明は、新しい表面テクスチャを有する容器に関する。容器は、例えば、シガレットのような細長い喫煙物品を収容するのに特に適している。
【背景技術】
【０００２】
細長い喫煙物品及び他の消費財を折り畳まれた積層ブランクから形成された容器にパッケージ化することは公知である。積層ブランクは、例えば、厚紙、金属、又はプラスチックのようなあらゆる適切なシート材料から作ることができる。銘柄、広告、販売促進又は製品情報のような情報を消費者に伝えるために容器の表面には通常図形及び文章が付加される。
【０００３】
典型的には、できるだけ平滑な表面を有するシート材料から容器を形成することが望ましい。これは、機械の速度及び効率を最大にするために、シート材料とシート材料に直接接触する製造機械の表面との間の摩擦を最小にすることを可能にするためである。
【発明の概要】
【発明が解決しようとする課題】
【０００４】
新しいテクスチャ及び外観を有する少なくとも１つの表面領域を含む表面を有する新しい容器を提供することが望ましいであろう。大幅な修正の必要なく公知の利用可能な機械及び方法を使用してそのような容器を形成することができるのであれば更に望ましいであろう。
【課題を解決するための手段】
【０００５】
本発明により、容器の表面が約０．６３と約２の間の摩擦係数を有する少なくとも１つの高摩擦表面領域を含む容器を提供する。少なくとも１つの高摩擦表面領域は、繊維を含むコーティング層を含む。約０．６３と約２の間の摩擦係数を有する少なくとも１つの表面領域は、本明細書を通して少なくとも１つの「高摩擦表面領域」として参照されることになる。代替的に又は追加的に、高摩擦表面領域は、０．７０よりも大きい、０．７５よりも大きい、０．８０よりも大きい、０．８５よりも大きい、０．９０よりも大きい、又は０．９５よりも大きい摩擦係数を有する。高摩擦表面領域の摩擦係数が高ければ高いほど、容器に付随する触感がよりはっきりする。
【０００６】
用語「容器」は、本明細書を通して例えば喫煙物品のような消費財のパッケージングを参照するために用いられる。例えば、ヒンジ式蓋の箱の内側フレームのように容器が開いている時にのみ見えるようになることがあるあらゆる内側パッケージングばかりでなく、外側パッケージング又はハウジングを含むように意図している。
【０００７】
用語「摩擦係数」は、本明細書を通して本発明による容器の高摩擦表面領域の表面と別の実質的に同一の表面との間の静的摩擦係数（μ）を指して用いられる。換言すれば、意味される摩擦係数は、高摩擦表面領域の表面のそれ自体との摩擦係数である。２つの固体表面間の静的摩擦係数（μ）は、摺動を生じるのに必要な接線力（Ｆ）を表面（Ｎ）間の垂直力で除した比として定められる。
μ＝Ｆ／Ｎ
【０００８】
２つの表面間の摩擦係数は、例えば、ＩＳＯ規格ＩＳＯ  １５３５９：１９９９に基づく水平面法により実験的に測定される。
【０００９】
典型的には、シガレットパックのような喫煙物品のための容器を作るための標準的なカード材料の摩擦係数は、０．２０と０．３０の間である。本発明による容器の表面の高摩擦表面領域の摩擦係数は、従って、標準的なシガレットパックのものよりも少なくとも約２から３倍大きい。高摩擦係数は、表面の高摩擦表面領域に従来の紙又は厚紙パックのテクスチャとは非常に異なるテクスチャを与え、かつ消費者に独特な触感的体験を提供する。
【００１０】
好ましくは、少なくとも１つの高摩擦領域の摩擦係数は、約１と２の間であり、より好ましくは、約１と約１．５の間である。
【００１１】
典型的には、少なくとも１つの高摩擦表面領域は、本発明による容器の外面上に提供されることになる。しかし、追加的に又は代替的に、少なくとも１つの高摩擦表面領域は、容器が開いている時にのみアクセス可能になる本発明による容器の内面上に提供することができる。
【００１２】
コーティング層は、柔らかい「ピーチスキン」テクスチャを与えるフロック又はレーヨンビスコース繊維のような繊維で形成される。繊維は、適切な接着剤の層上に堆積させることができる。好ましくは、繊維の層は、高摩擦表面領域内のシート材料の全重量の約１０パーセントと約３０パーセントの間の割合を占める。
【００１３】
少なくとも１つの高摩擦表面領域は、実質的に容器の全外面を含むことができる。代替的に、少なくとも１つの高摩擦表面領域は、外面の一部だけを含むことができる。好ましくは、高摩擦表面領域が外面の一部だけを含む場合、表面の残りの部分は、約０．５よりも小さな摩擦係数を有する。これは、少なくとも１つの高摩擦表面領域に興味深いテクスチャコントラストを提供する。
【００１４】
好ましくは、高摩擦表面領域は、付加的な印刷又は容器上の他の装飾と融和する。代替的に又は追加的に、高摩擦表面領域は、ロゴ、画像、銘柄名のような形状を有する。代替的に又は追加的に、本発明による容器は、高摩擦表面領域の反復性又は非反復性パターンを含む。反復性パターンの例は、三角形、ストライプ、正方形、矩形、山形、円形、半円形、楕円形、星形、ダイヤモンド、タイプフォント、チェッカーボードパターンのような幾何学形状である。非反復性パターンの例は、縞馬、虎、ヒョウ、チータ、蛇のような動物の皮のパターン、又は鰐皮のパターン、波のパターン、指紋のパターン、雲のパターン、煙のパターン、又は切断された木のパターンの形式のパターンである。非反復性パターンはそれが、特定の方向により大きくかつ高密度になる例えば高摩擦表面領域のパッチにより、摩擦勾配の印象を作り出すようにすることができる。
【００１５】
繊維を含むコーティングによって提供される高摩擦表面領域に加えて、触覚に粘着性を感じさせるようにゴム引きテクスチャを表面領域に与えるコーティングを含む１つ又はそれよりも多くの付加的な高摩擦表面領域が提供することができる。好ましくは、ゴム引きテクスチャを生成するのに使用される表面コーティング材料は、ポリウレタンである。好ましくは、ゴム引きコーティングは、高摩擦表面領域の断面でシート材料の全重量の約０．５パーセントと約３．０パーセントの間の割合を占める。
【００１６】
粗くギザギザしたサンド紙状表面を用いて高摩擦表面領域を付与する小さな粒子が表面に接着された１つ又はそれよりも多くの付加的な高摩擦表面領域を代替的に提供することができる。好ましくは、小さな粒子は、それらを表面に接着するためにワニスの層によって覆われる。代替的に、１つ又はそれよりも多くの付加的な高摩擦表面領域は、いくつかの小さな溝、ピラミッド、又は他のマイクロ表面構造体を用いて、例えば高摩擦表面領域にブラシをかけて又はエンボス加工して表面を粗くすることにより、摩擦係数を大きくするためにそれらの領域でブランクの表面を処理することによって提供することができる。
【００１７】
高摩擦表面領域内の摩擦係数は、材料として厚紙が使用される場合、材料内に特に長く硬い繊維を含めることによって更に大きくすることができる。更に、プラスチック又は金属の材料には、例えば、電気的活性化、化学的活性化、サンドブラスト、又はその組合せとすることができる。
【００１８】
本発明の容器を形成するのに使用されるシート材料は、好ましくは、紙又は厚紙材料である。好ましくは、高摩擦表面領域内にコーティング層を付加する前に、予備コーティング又はプライマーの層が紙又は厚紙基部層に付加される。例えば、高摩擦表面領域の表面の上に付加された印刷物の可視性を改善するために、そのようなプライマーの層が要求される場合がある。好ましくは、容器の表面が暗く着色されたゴム引きの高摩擦表面領域である付加的な高摩擦表面領域を含む場合に、プライマー層が使用される。プライマー層は、ゴム引きされたコーティングの異なる層とインクとの間の結合を有利に改善することができる。
【００１９】
好ましくは、少なくとも１つの高摩擦表面領域のコーティング層は、容器の表面上に印刷することができる。特に、高摩擦表面領域のパターンが容器に付加される場合、これが高摩擦表面領域の高解像度を可能にする。
【００２０】
高摩擦表面領域のコーティング層は、高摩擦表面領域の最終外観及びテクスチャを変えるために、重ね印刷、エンボス、デボス、又は別様の処理をすることができる。デボス及びエンボスは、容器の摩擦係数を更に大きくすることができる。高摩擦表面領域のコーティング層が印刷される場合、印刷物は、好ましくは高い耐摩耗性を有する。それによって高摩擦表面領域と、容器の製造中に高摩擦表面領域が直接接触する機械部品の表面との間のより高い摩擦によって印刷物が擦られることを防止する。
【００２１】
高摩擦表面領域は、例えば、約０．０５と０．１５の間である非常に低い摩擦係数を有する平滑なラッカー又は他の材料の層によって部分的に覆うことができる。この平滑なラッカーは、上述のように反復性又は非反復性パターンで付加することができる。高摩擦表面領域と非常に小さい摩擦係数との組合せは、特に興味深い触感を作り出す。
【００２２】
本発明による容器は、剛性又は「硬い」パックとすることができる。例えば、本発明による容器は、一般的にシガレット及びシガーのパッケージ化に使用される形式のヒンジ式蓋の容器とすることができる。そのようなヒンジ式蓋の容器は、箱部分と容器の背面壁にわたって延びるヒンジラインに沿って箱部分に接続された蓋部分とを含む。箱部分及び蓋部分の一方又は両方は、少なくとも１つの高摩擦表面領域を含むことができる。代替的に、本発明による容器は、外側シェル内に摺動可能に装着された内側スライダを有する「スライド及びシェル」容器とすることができる。内側スライダ及び外側シェルの一方又は両方は、少なくとも１つの高摩擦表面領域を含むことができる。
【００２３】
容器を開く及び閉じる動作中に容器の別の範囲と接触するようになる容器の１つの範囲に設けられた高摩擦表面領域は、容器を開く又は閉じるのに必要な力を増加させる。例えば、スライド及びシェル容器において容器を開く又は閉じる時に摩擦を増加させるそのような特別な高摩擦表面領域は、内側スライダの外面又は外側シェルの内面である。ヒンジ式蓋の容器において容器を開く又は閉じる時に摩擦を増加させるそのような特別な高摩擦表面領域の他の例は、内側フレームの外側面及び蓋の内側面である。容器の移動部分間のこの摩擦の増加は、容器が不注意で開くのを都合よく防止する。更に、開く又は閉じる動作に対して増加した抵抗は、例えば、摩擦が原因になる閉じる動作の穏やかな減速に起因する容器の品質感触を改善する。
【００２４】
代替的に、本発明による容器は、シガレットのような喫煙物品のための「柔らかい」パック又は剛性で柔らかいパックとすることができる。この関連において、「柔らかい」パックは、喫煙物品の包まれた束を収容するカップ形状ボックスを含むパックを意味する。カップが剛体材料から形成される場合、「柔らかい」パックは、剛性で柔らかいパックを意味する。代替的に、本発明による容器は、一般的に細刻みタバコのために使用されるようなポーチである。
【００２５】
本発明による容器の外面は、製造業者名又は銘柄ロゴ、商標、スローガン、及び他の消費者情報又は印しを用いて、印刷、エンボス、デボス、又はその他の方法で装飾することができる。代替的に又は追加的に、本発明による容器の外面は、ラッカー、金属化、ホログラム、発光性材料、又は容器の感触、臭い、又は外観を変える他のあらゆる材料を用いて少なくとも部分的に覆うことができる。
【００２６】
本発明による容器は、あらゆる種類の消費財を収容するのに使用することができる。本発明による容器は、例えば、シガレット、シガー、又はシガリロのような細長い喫煙物品のための容器として特定用途を見出す。本発明による容器は、その寸法を適切に選択することにより、様々な数の従来サイズ、キングサイズ、スーパーキングサイズ、スリム、又はスーパースリムのシガレットのためのとして設計することができることは認められるであろう。
【００２７】
本発明による容器はまた、その寸法を適切に選択することにより、総数が異なる喫煙物品又は配置が異なる喫煙物品を保持するように設計することができる。本発明による容器は、例えば、その寸法を適切に選択することにより、全部で１０、１５、１６、１７、１８、１９、２０、２１、又は２５の喫煙物品を保持するように設計することができる。これらは、喫煙物品の総数に応じて異なる丁合で配置することができる。例えば、喫煙物品は、６、７、８、９、又は１０の１列で、５、６、７、８、９、又は１０の２列で、５−６、６−７、７−８の２列で、５−５−５、５−６−５、６−５−６、５−６−７、６−７−６、７−５−７、７−６−７、７−７−７、８−９−８の３列で、４、５、又は６の４列で配置することができる。
【００２８】
充填された状態で、本発明による容器は、従来の手法で、例えば、ポリエチレン又はポリプロピレンのような透明なポリマーフィルムを用いて収縮包装するか又はその他の方法で上包装することができる。本発明による容器が上包装される場合、上包装紙は、開封テープを含むことができる。容器、特に容器の表面の高摩擦表面領域から包装紙を簡単に取り除くために、上包装紙には、１つ又はそれよりも多くの開封切り込みを設けることができる。
【００２９】
本発明による容器は、１つ又はそれよりも多くの直角縦方向縁部、１つ又はそれよりも多くの直角横方向縁部、１つ又はそれよりも多くの丸形縦方向縁部、１つ又はそれよりも多くの丸形横方向縁部、１つ又はそれよりも多くの傾斜付き縦方向縁部、１つ又はそれよりも多くの傾斜付き横方向縁部、又はそれらの適切な組合せを有することができる。
【００３０】
表面上に少なくとも１つの高摩擦表面領域を含む本発明による容器は、好ましくは、本発明による容器の高摩擦表面領域の高摩擦係数の効果を考慮に入れるように修正されたシガレットパック形成のための標準機械を使用して、積層ブランクから形成することができる。
【００３１】
高摩擦係数は、従来型容器製造時の摩擦のレベルと比較して高摩擦表面領域と機械表面の間により高いレベルの摩擦をもたらす。積層ブランクの表面の少なくとも表面領域の高摩擦係数を補償するために、積層ブランクの高摩擦表面領域と直接接触するようになる機械部品の表面は、好ましくは、できる限り平滑である。好ましくは、これらの機械部品は、例えば、ポリ四フッ化エチレン（ＰＴＦＥ）のような摩擦低減材料を用いて被覆される。
【００３２】
追加的に又は代替的に、本発明の容器形成のための機械に使用されるコンベヤベルトは、好ましくは、従来のコンベヤベルトよりも柔らかい材料で形成され、搬送中にインクで容器が汚れるのを防止する。
【００３３】
追加的に又は代替的に、標準機械のブランク折り畳みユニットの寸法又は設計は、本発明による容器の形成を改善するために変えることができる。ブランクと折り畳みユニットの間の接触面は、折り畳みユニットの平面を輪郭付けした平滑面に変えることによって都合よく低減することができる。これがブランクと機械の間の接触面積を都合よく低減し、ブランク及び機械の両方の摩耗を低減する。これはまた、ブランクに印刷されたインクが汚れるのを防止する。代替的に又は追加的に、折り畳みユニットとブランクの間の距離を例えば従来型機械と比較して約０．１０ｍｍと約０．３０ｍｍの間まで増加させることにより、ブランクと折り畳みユニットの間の引張力及び圧力が減少する。これは、更に、インクが汚れるのを防止して折り畳みラインの正しい位置決めを改善する。代替的に又は追加的に、ポケットの寸法は、上包装工程中にパックが内部に挿入される寸法まで大きくすることができる。例えば、ポケットの断面は、約０．２ｍｍと約０．６ｍｍの間まで大きくすることができる。代替的に又は追加的に、全体機械速度は、ブランクと機械の間の摩擦力を低減するために低くすることができる。
【００３４】
添付の図１を参照して本発明を単に一例として更に説明する。
【図面の簡単な説明】
【００３５】
【図１】本発明による容器を形成するのに適する高摩擦表面領域を含むシート材料の断面図である。
【発明を実施するための形態】
【００３６】
図１に示すシート材料１０は、厚紙材料の下部基部層１２と、基部層１２の上面上のコーティング層１４と、コーティング層１４上の接着層１６と、ビスコースレーヨン繊維の上部層１８とを含む。更に、繊維層１８上に１つ又はいくつかの印刷層（図示せず）が付加される。ビスコースレーヨン繊維の上部層１８は、接着層１６の手段によってシート材料に接着され、重量比でシート材料１０の約１２％の割合を占める。接着層１６は、全重量の約２５％の割合を占める一方、コーティング層１４は、全重量の約３％の割合を占める。
【００３７】
本発明による容器は、図１に示すシート材料１０から全体的に形成することができる。代替的に、本発明による容器は、図１の断面図に示すように、下部ベース厚紙層１２とコーティング層１４を含み、かつコーティング層の上に接着層１６と繊維層１８が付加された１つ又はそれよりも多くの高摩擦表面領域を有するシート材料から形成することができる。
【符号の説明】
【００３８】
１０  シート材料
１２  下部基部層
１４  コーティング層
１６  接着層
１８  ビスコースレーヨン繊維の上部層
【図１】
2011530459.tif 000003
【手続補正書】
【提出日】平成23年4月15日(2011.4.15)
【手続補正１】
【補正対象書類名】特許請求の範囲
【補正対象項目名】全文
【補正方法】変更
【補正の内容】
【特許請求の範囲】
【請求項１】
容器であって、
容器の表面が、
繊維を含むコーティング層を含み、約０．６３と約２の間の摩擦係数を有する高摩擦表面領域の反復性又は非反復性パターンと、
０．３よりも小さい摩擦係数を有する少なくとも１つの低摩擦表面領域と、
を含む、
ことを特徴とする容器。
【請求項２】
前記高摩擦表面領域は、約１と約２の間の摩擦係数を有することを特徴とする請求項１に記載の容器。
【請求項３】
前記コーティング層における前記繊維は、前記高摩擦表面領域におけるシート材料の全重量の約１０パーセントと約３０パーセントの間を説明することを特徴とする請求項１又は請求項２に記載の容器。
【請求項４】
高摩擦表面領域の前記コーティング層は、容器の前記表面上に印刷されることを特徴とする請求項１から請求項３のいずれか１項に記載の容器。
【請求項５】
容器の前記表面は、ゴム引き材料で形成されたコーティング層を含む１つ又はそれよりも多くの付加的な高摩擦表面領域を含むことを特徴とする請求項１から請求項４のいずれか１項に記載の容器。
【請求項６】
前記コーティング層は、更に別のコーティングによって少なくとも部分的に覆われ、
前記更に別のコーティングは、０．３よりも小さい、好ましくは、０．１５よりも小さい摩擦係数を有する、
ことを特徴とする請求項１から請求項５のいずれか１項に記載の容器。
【請求項７】
喫煙物品のためのものであることを特徴とする請求項１から請求項６のいずれか１項に記載の容器。
【請求項８】
請求項１から請求項７のいずれか１項に記載の容器を形成するための積層ブランクであって、
繊維を含むコーティング層を含み、かつ約０．６３と約２の間の摩擦係数を有する、ブランクの表面上の高摩擦表面領域の反復性又は非反復性パターンと、
０．３よりも小さい摩擦係数を有する少なくとも１つの低摩擦表面領域と、
を含むことを特徴とする積層ブランク。
【国際調査報告】
2011530459.tif 000004
2011530459.tif 000005
2011530459.tif 000006